(57)【特許請求の範囲】
【請求項１】
表面が平坦な光透過型のトップパネルと、
前記トップパネルにより全てのタッチキーが覆われたタッチセンサと、
前記タッチセンサのタッチキーに対応する指示情報を前記トップパネルの表面に投影するバックライトを備えた入力装置であって、
タッチキー信号を外部へ出力する通常モードに加えてタッチキー信号を外部へ出力しない清掃モードを有し、
前記トップパネル表面の清掃時に同時に操作されることのないエリアに配置された少なくとも２以上のタッチキーからの指示情報をモード切り替え指示情報とし、
前記モード切り替え指示情報のみに対応するタッチキーを操作したとき、通常モード時であれば清掃モードへ、また清掃モード時であれば通常モードへ移行し、
前記清掃モード時では全ての指示情報は前記トップパネル表面に表示されるが、その指示情報に対応するタッチキー信号は外部へ出力されないことを特徴とする入力装置。
【請求項２】
清掃モードから通常モードに移行したとき、タッチセンサの全体の感度を規定値に初期化することを特徴とする請求項１記載の入力装置。
【請求項３】
トップパネルの表面は鏡面とし、通常モードで使用していないときにはバックライトの消灯によってトップパネルの表面に指示情報が表示されないようにしたことを特徴とする請求項１記載の入力装置。
【発明の詳細な説明】
【技術分野】
【０００１】
本発明は、パーソナルコンピュータ用のキーボードや空調機器、テレビジョンやオーディオ機器等のリモコンなどの入力デバイスに好適に利用可能な入力装置に関する。
【背景技術】
【０００２】
パーソナルコンピュータ用のキーボードや空調機器、テレビジョンやオーディオ機器等のリモコンなど、トップパネル（入力操作面）に表示された指示情報（文字、記号等）を操作者が指によって押圧して指示情報に対応するタッチキー信号を入力するいわゆる入力デバイスに適用される入力装置は従来から広く知られている。このような入力装置の一形態としては、トップパネルに指示情報を投影表示するバックライトの背面に静電容量式タッチパネルを介在させたものがある。
【０００３】
このタイプの入力装置においては、バックライトを点灯させて指示情報をトップパネルに表示させ、操作者が必要な指示情報を押圧することで、この押圧した指示情報に対応するタッチキー信号を入力する構造となっている。
【０００４】
この入力装置のトップパネルは、他人には表示内容が見えにくく、また、トップパネルの美観や装飾効果の向上のためにハーフミラーが張られて、鏡面仕上げとなっている。しかしながら、トップパネルの表面が鏡面仕上げとなっているため、使用者の指紋やほこりの付着による汚れ等が目立ち易く、見栄えが良くない。また、その汚れ等の付着で指示情報が見にくくなり、信号を誤入力する虞が生じる。
【０００５】
また、この入力装置には、省電力モードが設定されており、ある一定期間に入力操作が行われない場合には、スリープモードに入り、バックライトが消灯することで、指示情報が見えなくなる。そして、バックライトが消灯すると、トップパネルの汚れがより目立つようになり、特に、例えば多数の者が使用する医療関連の環境下で用いられるパーソナルコンピュータ用の入力装置では、衛生面を重視する観点から入力装置に付着した指紋等の汚れを頻繁に拭取り、常時入力装置を清潔にしておく必要がある。
【０００６】
また、タッチキー信号の入力を行う通常モードとトップパネルの汚れ等を拭き取る清掃モード（清掃開始時から清掃終了し使用開始するまでの間）とを備えた入力装置では、このモードの切り替え操作をトップパネル表面で行うことから、指示情報の操作入力は検知可能状態になっている必要がある。
【０００７】
このため、トップパネルを布等で拭いて汚れ等を拭き取る拭取り作業時、その清掃時における布等の押圧力で指示情報を操作して、タッチキー信号の誤入力を行うことになる。このタッチキー信号の誤入力を防止するためには、入力装置を外部装置から切り離し、電源オフ状態にして清掃することが考えられるが、両装置を切り離すことは、接続用ケーブルを抜き差しすることになり、作業が面倒である。
【０００８】
一方、このような電源オフを行うことなく、タッチキー信号の誤入力を回避しつつ、トップパネルの表面の清掃を行うようにした入力装置を備えた車載用ナビゲーション装置が特許文献１に開示されている。この特許文献１に開示された入力装置は、トップパネルの一部を形成するタッチパネルの外側にタッチパネルの長手方向の長さよりも離れて２つのプッシュスイッチを配置し、この２つのプッシュスイッチが同時に押された場合、タッチパネルにおける指示情報の表示を継続しつつ、タッチパネルに対する操作をユーザからの操作として受け付ける通常モードからタッチパネルに対する操作をユーザからの操作として受け付けない清掃モードに、またはその反対にモードを切り替えるものである。
【先行技術文献】
【特許文献】
【０００９】
【特許文献１】特開２００９−０４２９９６号公報
【発明の概要】
【発明が解決しようとする課題】
【００１０】
しかし、上記の特許文献１に開示された入力装置では、清掃作業に伴って生じるタッチキー信号の誤入力を回避するために、清掃モード時はタッチパネルに対する操作をユーザからの操作として受け付けないようにするもので、清掃モード時に指示情報が表示されないことになる。そこで、通常モードから清掃モード、または、その反対にモードを切り替えるモード切り替え手段として、タッチパネルの外側にタッチパネルの長手方向の長さよりも離れて２つのプッシュスイッチを増設配置しているもので、入力装置の形状が大型化し、構成が複雑化し、コストアップになる等の課題があった。また、プッシュスイッチの部分は、タッチパネルと分離して配置されているので、タッチパネルを常に清掃しても、プッシュスイッチ自体に手垢等が付いて黒ずんだりし、見栄えが悪くなる。
【００１１】
一方、バックライトを点灯させて、トップパネルの表面に指示情報を投影表示するタイプの入力装置であって、特許文献１のようなプッシュスイッチを設けることなく、静電容量型タッチセンサの指示情報を利用してモード切り替えを行うようにしても、特許文献１のように清掃作業に伴って生じるタッチキー信号の誤入力を回避するために、清掃モード時にタッチパネルに対する操作をユーザからの操作として受け付けないようにすると、清掃モード時にトップパネルに清掃モード解除等の指示情報が表示されず、指示情報を利用してモード切り替えができないという課題が生じる。
【００１２】
この発明は上記のような課題を解決するためになされたもので、清掃モード時においてもトップパネル表面に指示情報の表示を行うので常に指示情報を操作することができ、しかも、清掃モード時はタッチキー信号を外部へ出力させないので、清掃作業時に誤ってモード切り替えを行ったり、誤ってタッチキー信号を外部へ出力することのない入力装置を、形状を大型化することなく、簡単な構成で低コストで得ることを目的とする。
【課題を解決するための手段】
【００１３】
上述した課題を解決するために、本発明の請求項１に係る入力装置は、
表面が平坦な光透過型のトップパネルと、
前記トップパネルにより全てのタッチキーが覆われたタッチセンサと、
前記タッチセンサのタッチキーに対応する指示情報を前記トップパネルの表面に投影するバックライトを備えた入力装置であって、
タッチキー信号を外部へ出力する通常モードに加えてタッチキー信号を外部へ出力しない清掃モードを有し、
前記トップパネル表面の清掃時に同時に操作されることのないエリアに配置された少なくとも２以上のタッチキーからの指示情報をモード切り替え指示情報とし、
前記モード切り替え指示情報のみに対応するタッチキーを操作したとき、通常モード時であれば清掃モードへ、また清掃モード時であれば通常モードへ移行し、
前記清掃モード時では全ての指示情報は前記トップパネル表面に表示されるが、その指示情報に対応するタッチキー信号は外部へ出力されないことを特徴としている。
【００１４】
本発明の請求項１に係る入力装置によると、トップパネル表面の清掃時に同時に操作されることのないエリアに配置された少なくとも２以上のタッチキーからの指示情報を用いて、通常モードから清掃モードへ、清掃モードから通常モードへモード切り替えを行うように構成したので、清掃作業時にモード切り替え用の２以上の指示情報のみが操作されることがなく、誤ってモード切り替えが行なわれることを確実に防止することができる。また、モード切り替え用の２以上の指示情報はタッチセンサと対応する指示情報を利用するので、上記特許文献１に開示されたように、タッチパネルの外側にモード切り替え用のプッシュスイッチを設ける必要がなく、形状を大型化することなく、簡単な構成で低コストで得ることができる。
【００１５】
また、清掃モード時でも全ての指示情報が前記トップパネルに表示されるので、清掃モード時であっても指示情報を通常通り操作できる。しかも清掃時は、そのタッチキー信号は外部へ出力されないので、モード切り替えのために入力装置を外部装置から切り離したり、電源をオフ状態にしたりする等の面倒な準備作業を行う必要がない。そして、清掃は、トップパネルを布等で拭いて汚れ、指紋等を拭き取るもので、その清掃時に指示情報を操作してもタッチキー信号の誤入力を確実に防止することができる。
【００１６】
また、全てのタッチキーを覆うトップパネルを全体に亘って清掃できるので、一部の操作キーの汚れが残ることがなく、外観上の清潔感を常に維持することに加えて、衛生面で常に清掃が求められる環境下での使用に適している。また、表面が平坦なトップパネルによって全てのタッチキーが覆われているため、段差や溝を有する入力操作面有する入力装置とは異なり、トップパネルを効率良く清掃しかつ清潔にすることができる。
【００１７】
また、本発明の請求項２に係る入力装置は、清掃モードから通常モードに移行したとき、タッチセンサ全体の感度を規定値に初期化することを特徴とする。
【００１８】
本発明の請求項２に係る入力装置によると、清掃モードから通常モードに移行したとき、タッチセンサ全体の感度を規定値に初期化するので、清掃時に加えられる圧力によってトップパネルが湾曲したり帯電したり環境状態変化等によりタッチキーの応答感度が変化したりしても、初期化することによって応答感度の変化を修正することができる。
【００１９】
また、本発明の請求項３に係る入力装置は、トップパネルの表面は鏡面とし、通常モードで使用していないときにはバックライトの消灯によってトップパネルに指示情報が表示されないようにしたことを特徴としている。
【００２０】
本発明の請求項３に係る入力装置によると、トップパネルの表面は鏡面状態となっており、通常モードで使用していないときには指示情報が表示されないため、トップパネルの美観や装飾効果が向上する。また、トップパネルの表面は何も表示されない鏡面状態となっていることから、使用者の指紋やほこりの付着による汚れ等が目立ち、使用者に常に清掃を促すことになる。その結果、トップパネルの表面が常に清潔な状態に保たれることになり、多数の者が使用し、かつ衛生面を重視する医療関係のコンピュータやクリーンルーム内において使用するコンピュータの入力装置として特に有用である。
【発明の効果】
【００２１】
本発明によると、清掃モード時においてもトップパネルの表面に指示情報の表示を行うので、常に指示情報を操作することができ、しかも、清掃モード時はタッチキー信号を外部へ出力させないので、モード切り替えを確実に行うことができるとともに、誤ってタッチキー信号を外部へ出力することのない入力装置を、形状を大型化することなく、簡単な構成で低コストで得ることができる。
【図面の簡単な説明】
【００２２】
【図１】本発明の一実施形態に係る入力装置の表示面を示す平面図である。
【図２】図１に示した入力装置の組み立て前の状態を示す分解斜視図である。
【図３】図１に示した入力装置の内部構造を概略的に示す説明図である。
【図４】図１に示した入力装置の機能構成を示すブロック図である。
【図５】図１に示した入力装置のモード切り替え動作を説明するフローチャートである。
【発明を実施するための形態】
【００２３】
以下、本発明の一実施形態に係る入力装置を図面に基づいて詳細に説明する。図１は、本発明の一実施形態に係る入力装置の表示面を示す平面図である。また、図２は、図１に示した入力装置の組み立て前の状態を示す分解斜視図である。また、図３は、図１に示した入力装置の内部構造を概略的に示す説明図であり、ケースとフレームのみ断面ハッチングを施している。
【００２４】
本発明の一実施形態に係る入力装置１は、パーソナルコンピュータに使用されるキーボードからなり、ケース１１と、ベースプレート１３、ベースプレート１３の下面に配置される回路基板１２、ベースプレート１３の上面に配置される静電容量式タッチセンサ１４、バックライト（面発光層）１５、文字記号印刷フィルム１６、フレーム１８、ハーフミラー１７と透光性パネル１９からなるトップパネル（入力操作面）２０を備えている。
【００２５】
透光性パネル１９はアクリル樹脂でできた板材からなり、ハーフミラーを保護するとともに、操作者が指で特定の指示情報を押した際にこの指の接近による静電容量の変化を、この特定の指示情報に対応する静電容量センサエレメントにおいて生じる厚さを有している。透光性パネル１９の材質は、アクリル樹脂の代わりにポリカーボネートやガラスであってもよい。
【００２６】
ケース１１は、強度と成型性に優れた樹脂でできており、横長の底部１１ａとこの底部１１ａの周囲縁部に形成された側部１１ｂからなり、側部周囲の縁部にフレーム１８が嵌められるようになっている。ケース底部１１ａの下面には入力装置１の高さ調整を行うフット（図示せず）と、入力装置操作中に静電容量式タッチセンサ１４を載せたテーブル等とのズレを防止する滑り止め（図示せず）が備わっている。一方、ケース底部１１ａの上面には静電容量式タッチセンサ１４の操作内容を電気的に処理してパーソナルコンピュータ（図示せず）に伝達するための回路基板１２及びＦＰＣ（フレキシブルプリントサーキット）１２ａが備わっている。
【００２７】
ベースプレート１３は、或る程度の厚さと強度を有するようにＡＢＳ樹脂で成形されている。そして、ベースプレート１３の上面には静電容量式タッチセンサ１４とバックライト１５が順次積層配置されている。
【００２８】
静電容量式タッチセンサ１４は、後述する文字記号印刷フィルム１６に印刷された指示情報としての文字や記号のそれぞれに対応する多数の静電容量センサエレメントをマトリックス状に独立して、４層のガラスエポキシ基材にプリント基板を形成する要領で形成されている。プリント基板を形成する要領で製作できることから透過型タッチパネルに対して大きくコストダウンすることが可能となった。
【００２９】
なお、静電容量センサエレメントは、文字記号印刷フィルム１６に印刷された各文字や記号に対応する位置にそれぞれ形成されている。そして、操作者がトップパネル２０に映し出された文字や記号のうち特定の文字や記号を指で押すことで、これに対応する静電容量センサエレメントの静電容量が大きく変化すると共に、この周囲の静電容量センサエレメントの静電容量が若干変化することに基づき、操作者が何れの文字や記号を指で押したかを、回路基板１２の演算手段（図示せず）を介して特定する。
【００３０】
静電容量式タッチセンサに表示された例えば２箇所乃至５箇所等の複数の文字や記号を同時に押しても、この押した複数の文字や記号を同時に特定できるようになっていることから、いわゆるマルチタッチに容易に対応することができるので、コンピュータ用の入力装置として、一般的に普及しているキースイッチ式のキーボードに代えて用いることができる。
【００３１】
また、静電容量式タッチセンサ１４の上面は白色塗装され、この上に積層されるバックライト１５の漏れ光を吸収することなくバックライト１５の導光板内に無駄なく反射させるようになっている。
【００３２】
この白色塗装は、静電容量式タッチセンサ１４の上面にシルク印刷を塗布して実現されるが、この代わりに白色の反射板や反射シートを貼り付けても良い。しかしながら、静電容量式タッチセンサ１４のパターンをガラスエポキシ基材上に形成した後に同一工程において白色のシルク印刷を施すことで組立工程数と部品を低減することができ、生産効率を高めることが可能となる。
【００３３】
図４は、図１に示した入力装置の機能構成を示すブロック図である。静電容量式タッチセンサ１４のタッチキー信号を入力する回路基板１２は、タッチキー信号を入力する信号処理部１２１、バックライト点滅部１２２、モード切り替え部１２３、感度設定部１２４、音量設定部１２５、ＵＳＢ出力部１２６等を有する。
【００３４】
この図４は、各部の関係を模式的に示したもので、各部を接続する実線は信号処理部１２１から他の各部に処理信号を供給する信号線、点線はモード切り替え部１２３が信号処理部１２１から清掃モードへの切り替え信号を受けたとき、感度設定部１２４、音量設定部１２５、ＵＳＢ出力部１２６を信号処理部１２１からの信号受け入れを停止させる信号線である。
【００３５】
信号処理部１２１は静電容量式タッチセンサ１４から入力されたタッチキー信号に応じて処理信号を行うもので、例えば、指示情報の中のモード切り替え用として指定されているＦｎキーとＥｎｄキー（ファンクションキーＦ１４や他の入力キーであっても良い）からの信号が同時に入力されたときは、通常モード時であれば清掃モードへ、清掃モード時であれば通常モードへのモード切り替えを判断して、モード切り替え信号をモード切り替え部１２３に出力する。この場合、ＦｎキーとＥｎｄキーの操作順序は、まず、Ｆｎキーを操作してからＥｎｄキーを操作する順序とする。このようなモード切り替え用として指定されている２つのキーは、トップパネル表面に表示される指示情報に対応して配置されるタッチキーであって、清掃の際に同時に操作されることのない配置された２つのタッチキー、即ちキーボード上に多数配列されたタッチキーの内互いの距離がかなり離れた２つのタッチキーである。なお、モード切り替えに関するこの２つのタッチキーを決めるにあたって、通常の入力操作では同時に触れることがない２つのタッチキーとするとより好ましい。
【００３６】
バックライト点滅部１２２は、信号処理部１２１からの処理信号に基づいてバックライトを点滅させる。モード切り替え部１２３は信号処理部１２１から清掃モードの信号を受けると、感度設定部１２４、音量設定部１２５、ＵＳＢ出力部１２６への信号処理部１２１からの信号の受け入れを停止させる。
【００３７】
感度設定部１２４は信号処理部１２１からの処理信号を入力し、その処理信号の応答感度を設定するが、モード切り替え部１２３から清掃モードの信号を受けると、信号処理部１２１からの処理信号の入力を停止する。音量設定部１２５は信号処理部１２１からの処理信号を入力し、その処理信号に基づく音量を設定するが、モード切り替え部１２３から清掃モードの信号を受けると、信号処理部１２１からの処理信号の入力を停止する。ＵＳＢ出力部１２６は、通常モード時は信号処理部１２１からの処理信号に基づいて図示しない外部装置へタッチキー信号を出力するが、清掃モード時には、信号処理部１２１からの処理信号の入力を停止する。その結果、清掃モード時は外部装置へタッチキー信号を出力しない。
【００３８】
以下、本発明の入力装置１のモード切り替え動作を図５に示したフローチャートに基づいて説明する。まず、入力装置１を図示しない外部装置に接続して電源を投入し動作を開始すると、回路基板１２に含まれる図示しない初期化部は、電源投入信号を受けて静電容量式タッチセンサ１４の応答感度を規定値に初期化する（ステップＳＴ１）。
【００３９】
初期化後、静電容量式タッチセンサ１４からのタッチキー信号は信号処理部１２１に供給されてモード判定が行われ、通常モード時であれば、信号処理部１２１からの出力信号に基づいて、感度設定部１２４でタッチキー信号の感度設定が、音量設定部１２５で音量設定が行われ、この設定された音量、感度でＵＳＢ出力部１２６から外部装置にタッチキー信号の出力が行われる（ステップＳＴ２）。
【００４０】
次いで、トップパネル２０の清掃（拭取り作業）が必要か否かが判断され、必要でない場合（ステップＳＴ３−ＮＯ）、ステップＳＴ２に戻り上記の動作を繰り返す。一方、清掃が必要と判断されると（ステップＳＴ３−ＹＥＳ）、モード切り替えを行う指示情報の組み合わせ（図示例ではＦｎキーとＥｎｄキー）を同時に操作する（ステップＳＴ４）。信号処理部１２１はＦｎキーとＥｎｄキーの信号が同時に入力されることにより、通常モードから清掃モードへのモード切り替え信号を出力する。その結果、清掃モード状態（拭き取り可能状態）となる（ステップＳＴ５）。
【００４１】
この際、バックライト点滅部１２２は、信号処理部１２１から処理信号を受けるとバックライトを点灯させる。また、モード切り替え部１２３は信号処理部１２１から清掃モードへの切り替え信号を受けると、感度設定部１２４、音量設定部１２５、ＵＳＢ出力部１２６が信号処理部１２１から供給される処理信号の入力を停止させる。
【００４２】
この清掃モード状態において、トップパネル２０を布等で拭取り清掃する。この清掃動作時、誤ってタッチキーを押圧操作しても、このとき信号処理部１２１からの信号が感度設定部１２４、音量設定部１２５、ＵＳＢ出力部１２６に供給されないため、ＵＳＢ出力部１２６からはタッチキー信号は出力されない。このため、外部装置へタッチキー信号が誤出力されることを確実に防止することができる。
【００４３】
ついで、清掃作業が完了したかを判断し、完了していなければ（ステップＳＴ６−ＮＯ）、ステップＳＴ５に戻り清掃作業を繰り返す。清掃作業が完了していれば（ステップＳＴ６−ＹＥＳ）、再度モード切り替えを行う指示情報の組み合わせ（図示例ではＦｎキーとＥｎｄキー）を同時に操作する（ステップＳＴ７）。
【００４４】
そして、信号処理部１２１は清掃モードにおいて、ＦｎキーとＥｎｄキーの信号が同時に入力されることにより、清掃モードから通常モードへモードが切り替えられたとして、モード切り替え信号をモード切り替え部１２３に出力する。
【００４５】
モード切り替え部１２３は信号処理部１２１から清掃モードから通常モードへのモード切り替え信号を受けると、感度設定部１２４、音量設定部１２５、ＵＳＢ出力部１２６への信号処理部１２１からの信号供給停止を解除する。この結果、通常モード時は感度設定部１２４、音量設定部１２５で設定された感度、音量に基づいて、ＵＳＢ出力部１２６から外部装置へタッチキー信号の出力が回復される。
【００４６】
この清掃モードから通常モードにモード切り替えが行われたときは、回路基板１２の図示しない初期化部によって静電容量式タッチセンサ１４の応答感度の初期化が行われ（ステップＳＴ８）、以後ステップＳＴ２に戻り、通常モードの動作に移行する。
【００４７】
以上のように、本発明によれば、トップパネル表面の清掃時に同時に操作されることのないエリアに配置された少なくとも２以上のタッチキーからの指示情報を用いて、通常モードから清掃モードへ、清掃モードから通常モードへモード切り替えを行うように構成したので、清掃作業時にモード切り替え用の２以上の指示情報のみが操作されることがなく、誤ってモード切り替えが行なわれることを確実に防止することができる。また、モード切り替え用の２以上の指示情報はタッチセンサと対応する指示情報を利用するので、上記特許文献１に開示されたように、タッチパネルの外側にモード切り替え用のプッシュスイッチを設ける必要がなく、形状を大型化することなく、低コストで簡単な構成により達成することができる。
【００４８】
また、清掃モード時でも全ての指示情報が前記トップパネルに表示されるので、清掃モード時であっても指示情報を通常通り操作できる。しかも清掃時は、そのタッチキー信号は外部へ出力されないので、モード切り替えのために入力装置を外部装置から切り離したり、電源をオフ状態にする等の面倒な準備作業を行ったりする必要がない。そして、清掃は、トップパネルを布等で拭いて汚れや指紋等を拭き取るもので、その清掃時に指示情報を操作してもタッチキー信号の誤入力を確実に防止することができる。
【００４９】
また、全てのタッチキーを覆うトップパネルを全体に亘って清掃できるので、一部の操作キーの汚れが酷くなることがなく、外観上の清潔感を常に維持することに加えて、衛生面で常に清掃が求められる環境下での使用に適している。また、平坦なトップパネルによって全てのタッチキーが覆われているため、段差や溝を有する入力操作面有する入力装置とは異なり、トップパネルを効率良く清掃しかつ清潔にすることができる。
【００５０】
一方、本発明において清掃モード終了後にキーボード入力の初期化を行うようにするのが好ましい。このような入力装置によると、清掃モードから通常モードに移行したとき、タッチセンサ全体の感度を規定値に初期化するので、清掃時に加えられる圧力によってトップパネルが湾曲したり帯電したり環境状態の変化等によりタッチキーの応答感度が変化したりしても、初期化することによって応答感度の変化を修正することができる。なお、この初期化に関しては、図９のステップＳＴ８に示すキャリブレーション（センサ感度初期化）のルーチンに相当する。この際、タッチセンサ全体をわずかな時間だけ消灯したり点滅させたりすることでキャリブレーション中であることを使用者に知らせるようにすることが好ましい。
【００５１】
また、本発明において、トップパネルをハーフミラー等で構成しても良い。このような入力装置によると、トップパネルの表面は鏡面状態となっており、通常モードで使用していないときには指示情報が表示されないため、トップパネルの美観や装飾効果が向上する。また、トップパネルの表面は何も表示されない鏡面状態となっていることから、使用者の指紋やほこりの付着による汚れ等が目立ち、使用者に常に清掃を促すことになる。その結果、トップパネルの表面が常に清潔な状態に保たれることになり、多数の者が使用し、かつ衛生面を重視する医療関係のコンピュータの入力装置として特に有効である。また、半導体製造工場や薬品製造工場のクリーンルーム内で使用するコンピュータの入力装置としても好適に使用できる。
【００５２】
なお、図示例では、タッチセンサとして静電容量式タッチセンサを例示して説明したが、このタッチセンサは、抵抗膜式タッチセンサやメンブレン式タッチセンサ等であっても良い。
【００５３】
また、本実施例においては、通常モードから清掃モードに移行するに際して、若しくは清掃モードを解除するに際して２つのキーを同時に押すようになっていたが、必ずしもこの形態に限ることはない。即ち、特定の一方のキーを押し終えた直後に特定の他方のキーを押すような態様であっても良い。また、これらのモード切り替えのためのタッチキーを同時に若しくは交互に押すにあたってこれらのタッチキーの組み合わせは、通常の入力操作において同時に若しくは交互に押すことがあり得ない２つ又はそれ以上のタッチキーの組み合わせが望ましい。
【００５４】
また、上述の実施形態のような特定なキーを２箇所同時に押してモード切り替えを行う代わりに、特定の３箇所若しくはそれ以上のキーを同時に又は交互に押すことによってモード切り替えを行うようにしても本発明の作用を十分発揮することができる。
【００５５】
また、上述の実施形態においては、本発明をパーソナルコンピュータのキーボードに適用した例を紹介したが、本発明の適用対象は必ずしも上述の実施形態に限定されず、タッチセンサ式で上述した本発明の構造上の基本的構成を有するものであれば適用可能である。具体的には、例えば、家庭内で使用される家電製品を操作するリモコンや、家庭内の照明や空調等を制御する入力機器、多目的ホールの空調やライトを制御する制御パネル、その他様々の入力装置に適用可能であることは言うまでもない。
【符号の説明】
【００５６】
１    入力装置
１１    ケース
１２    回路基板
１３    ベースプレート
１４    静電容量式タッチセンサ
１５    バックライト（面発光層）
１６    文字記号印刷フィルム
１７    ハーフミラー
１８    フレーム
１９    透光性パネル
２０    トップパネル（入力操作面）
１２１  信号処理部
１２２  バックライト点滅部
１２３  モード切り替え部
１２４  感度設定部
１２５  音量設定部
１２６  ＵＳＢ出力部
【図１】
0005833911.tif 000002
【図２】
0005833911.tif 000003
【図３】
0005833911.tif 000004
【図４】
0005833911.tif 000005
【図５】
0005833911.tif 000006